(57)【要約】【課題】  上部障子を手動で遠隔操作可能であり、かつ操作部が障子と干渉することを防止でき、上部障子の開閉操作性を向上できる建具を提供すること。【解決手段】上下二段の障子を備えた上げ下げ窓１において、上側の障子２０を手動で開閉操作する遠隔操作装置６００を設ける。遠隔操作装置６００のダイヤル６１０は、縦枠内に配置して縦枠の室内面のみに露出する。ダイヤル６１０の左右見付け幅寸法は、縦枠の左右見付け幅寸法よりも小さくする。障子２０を手動で開閉操作する遠隔操作装置６００を設けたので、比較的高い位置の障子２０も開閉できる。ダイヤル６１０は、縦枠に配置されているので、利用者が操作しやすい高さに自由に設けることができ、開閉操作性を向上できる。ダイヤル６１０は縦枠内部に配置され、縦枠の内側面側に突出しないので、障子３０を内倒ししても障子３０がダイヤル６１０に干渉することを防止できる。【選択図】  図５
2006241673.tif 000002
【特許請求の範囲】
【請求項１】
上枠、下枠、および左右の縦枠を有する窓枠と、この窓枠内に支持された少なくとも上下二段の障子とを備え、
前記少なくとも上下二段の障子のうち、少なくとも上側の障子を手動で開閉操作する遠隔操作装置が設けられ、
この遠隔操作装置の手動操作部は、前記窓枠の縦枠内に配置されて縦枠の室内面のみに露出されているとともに、前記手動操作部の左右見付け幅寸法は、縦枠の左右見付け幅寸法よりも小さくされている建具。
【請求項２】
前記遠隔操作装置は、利用者の操作によって一方の方向およびこの一方の方向と逆方向である他方の方向に回動される手動操作部と、この手動操作部の回転動作を伝達する回転伝達手段と、前記回転伝達手段によって伝達された回転動作によって上側の障子を開閉する障子開閉手段とを備え、
前記障子開閉手段は、手動操作部を一方の方向に回転させた際には障子を開き、手動操作部を他方の方向に回転させた際には障子を閉じるように作動する請求項１に記載の建具。
【請求項３】
前記手動操作部は、縦枠の左右見付け方向に延びる回転軸によって縦枠内に回転可能に軸支された略円盤形状である請求項２に記載の建具。
【請求項４】
前記手動操作部は、略円盤状に形成され、縦枠の左右見付け方向に延びる回転軸によって縦枠内に回転可能に軸支された第１回転部材と、この第１回転部材と同軸に回転可能に設けられた第２回転部材とを備え、
前記第２回転部材には、第２回転部材を第１の方向に回転させた場合には、第１回転部材も一体的に回転させ、かつ、第２回転部材を第２の方向に回転させた場合には、第１回転部材は回転させない第１方向同期回転状態と、第２回転部材を第２の方向に回転させた場合には、第１回転部材も一体的に回転させ、かつ、第２回転部材を第１の方向に回転させた場合には、第１回転部材は回転させない第２方向同期回転状態とを切り替える同期回転方向切替操作摘みが設けられている請求項２に記載の建具。
【請求項５】
前記遠隔操作装置の回転伝達手段は、前記手動操作部と同軸に設けられて手動操作部と一体的に回転する歯車と、この歯車に噛合する１つ以上の歯車からなる動力伝達歯車と、この動力伝達歯車によって回転される第１プーリと、この第１プーリに対して所定距離離れて配置された第２プーリと、前記第１および第２プーリ間に巻き掛けられたベルトとを備えることを特徴とする請求項２から請求項４のいずれかに記載の建具。
【請求項６】
前記遠隔操作装置の障子開閉手段は、
前記上側の障子の両端に取り付けられて縦枠内を上下方向にスライド移動可能に設けられたスライダー部材と、
各スライダー部材に一端が連結された一対のロープと、
各ロープの他端が連結されてロープを介して前記上側の障子の荷重を支持可能なバランサー装置と、
前記各ロープの途中が巻かれた一対のドラムとを備え、
前記回転伝達手段は、手動操作部の操作に応じて前記一対のドラムを回転させて前記障子を上下方向にスライド移動させる請求項２から請求項５のいずれかに記載の建具。
【発明の詳細な説明】
【技術分野】
【０００１】
本発明は、建具に関し、詳しくは、窓枠と、この窓枠内に支持された少なくとも上下二段の障子とを備えた上げ下げ窓等の建具に関する。
【背景技術】
【０００２】
住宅等の外壁開口部に設けられる窓（サッシ窓）として、上下一対の障子を備えた上げ下げ窓が知られている。
このような上げ下げ窓は、通常、手動操作で開閉されるが、例えば、下部障子の高さ寸法を上部障子に比べて大きくした場合のように、上部障子が比較的高い位置に配置される場合には、窓の下方から上部障子を遠隔操作で開閉することが求められる場合があった。
【０００３】
このような遠隔操作で障子を開閉する構成として、窓枠の下枠や縦枠部分に設けられたハンドルを操作することで、障子を移動させるようにした構成が知られている（例えば、特許文献１参照）。
特許文献１に記載された上げ下げ窓は、窓枠と、この窓枠の竪枠に沿って上下にスライド開閉自在に設けられた外部障子および内部障子とを備えて構成されている。そして、ガイド車を取り付けたガイド車装置を竪枠内のガイドレールに上下移動可能に係合し、窓枠に沿ってギヤードケーブルを配設し、窓枠の下枠や縦枠部分に設けられたハンドル操作によってギヤードケーブルを介してガイド車装置を上下動させ、各障子を窓の上半分に移動させて下半分を開口して脱出口を設けたり、各障子を窓の下半分に移動させて窓の上半分を開口して排煙口を設けることができるようにしている。
【０００４】
【特許文献１】特公昭６２−１５７１０号公報
【発明の開示】
【発明が解決しようとする課題】
【０００５】
ところで、上げ下げ窓においては、下部障子を内倒し可能に設け、下部障子の室外側の清掃を室内側から行えるようにしたものがある。
しかしながら、前記特許文献１の上げ下げ窓では、下枠や縦枠に設けられたハンドルが下部障子側に突出されているため、下部障子を内倒しすると、下部障子とハンドルとが干渉し、下部障子を十分に開くことができないという問題がある。
また、下枠の高さ位置は、壁面において窓が配置される開口の形成位置によって決まってしまう。このため、ハンドルを下枠部分に設ける場合には、下枠の高さ位置によっては、ハンドル操作が難しくなる場合もあった。
このような問題は、上げ下げ窓に限定されず、上部障子および下部障子を備えた各種の建具に共通するものである。すなわち、上部障子を下枠や縦枠部分に設けられたハンドルによる遠隔操作で上下動あるいは外開き、内開き、突き出し、内倒し、外倒し、辷り出しなどの各種の開閉操作を行うとともに、下部障子を内倒しや内開き操作によって室内側に移動させる建具に共通する問題である。
【０００６】
本発明の目的は、上部障子を遠隔操作装置によって手動で遠隔操作可能であり、かつ遠隔操作装置が障子と干渉することを防止でき、かつ上部障子の開閉操作性を向上できる建具を提供することにある。
【課題を解決するための手段】
【０００７】
本発明の建具は、上枠、下枠、および左右の縦枠を有する窓枠と、この窓枠内に支持された少なくとも上下二段の障子とを備え、前記少なくとも上下二段の障子のうち、少なくとも上側の障子を手動で開閉操作する遠隔操作装置が設けられ、この遠隔操作装置の手動操作部は、前記窓枠の縦枠内に配置されて縦枠の室内面のみに露出されているとともに、前記手動操作部の左右見付け幅寸法は、縦枠の左右見付け幅寸法よりも小さくされていることを特徴とする。
【０００８】
ここで、少なくとも上下二段の障子は、上下一対の２枚の障子（上部障子および下部障子）から構成されていてもよく、３枚以上の障子から構成されていてもよい。
そして、上側の障子の開閉形式は、上下にスライドする形式でもよく、また当該障子の上辺（上框）または下辺（下框）が窓枠に軸支されて室外側や室内側に回動する突出し形式や内倒し形式等でもよく、さらに当該障子の縦辺（縦框）が窓枠に軸支されて室外側や室内側に回動する開き形式でもよい。
さらに、下側の障子は、開閉可能に構成されていてもよく、また開閉不能な固定障子であってもよい。特に、下側の障子は、内倒し形式や内開き形式で開閉可能に構成されていることが好ましい。
【０００９】
以上の本発明によれば、上側の障子を開閉操作する遠隔操作装置が設けられているので、上側の障子が比較的高い位置に配置されている場合でも、遠隔操作装置の手動操作部を操作することで開閉することができる。
また、遠隔操作装置の手動操作部は、窓枠の縦枠に配置されて縦枠の室内面に露出しているので、手動操作部の高さ位置は縦枠の上端から下端の範囲で自由に設定できる。このため、利用者が操作しやすい高さに手動操作部を設けることができ、障子の開閉操作性を向上できる。
さらに、遠隔操作装置の手動操作部は、その左右見付け幅寸法を縦枠の左右見付け幅寸法よりも小さくし、かつ縦枠の室内面のみに露出するように縦枠内部に配置したので、手動操作部が縦枠の内側面側つまり障子側に突出することがない。このため、障子を内倒しなどして室内側に開いた場合でも、その障子が手動操作部に干渉することを防止でき、障子を十分に開くことができる。
また、手動操作部は縦枠の外側面側つまり躯体側に突出することもないため、窓枠設置時に躯体側に影響を及ぼすことがなく、建具を容易に施工することができる。
【００１０】
本発明の建具では、前記遠隔操作装置は、利用者の操作によって一方の方向およびこの一方の方向と逆方向である他方の方向に回動される手動操作部と、この手動操作部の回転動作を伝達する回転伝達手段と、前記回転伝達手段によって伝達された回転動作によって上側の障子を開閉する障子開閉手段とを備え、前記障子開閉手段は、手動操作部を一方の方向に回転させた際には障子を開き、手動操作部を他方の方向に回転させた際には障子を閉じるように作動することが好ましい。
【００１１】
遠隔操作装置の手動操作部としては、例えば、手動操作部を縦枠に沿って上下動させることで、障子を上下動させるものを用いてもよいが、この場合には、障子の移動量を大きくするためには、手動操作部のスライド量も大きくしなければならず、操作性が低下する。
これに対し、本発明によれば、手動操作部を回転操作するだけで障子を開閉できるので、手動操作部をスライドさせる場合に比べて操作性を向上できる。その上、回転方向によって障子を開く操作や閉じる操作を選択できるので、この点でも操作性を向上できる。
【００１２】
本発明の建具では、前記手動操作部は、縦枠の左右見付け方向に延びる回転軸によって縦枠内に回転可能に軸支された略円盤形状であることが好ましい。
このような構成によれば、手動操作部が円盤形状とされているので、容易に回転させて操作することができる。また、円盤形状の手動操作部は構成が簡易なため、製造コストも低減できる。
【００１３】
本発明の建具では、前記手動操作部は、略円盤状に形成され、縦枠の左右見付け方向に延びる回転軸によって縦枠内に回転可能に軸支された第１回転部材と、この第１回転部材と同軸に回転可能に設けられた第２回転部材とを備え、前記第２回転部材には、第２回転部材を第１の方向に回転させた場合には、第１回転部材も一体的に回転させ、かつ、第２回転部材を第２の方向に回転させた場合には、第１回転部材は回転させない第１方向同期回転状態と、第２回転部材を第２の方向に回転させた場合には、第１回転部材も一体的に回転させ、かつ、第２回転部材を第１の方向に回転させた場合には、第１回転部材は回転させない第２方向同期回転状態とを切り替える同期回転方向切替操作摘みが設けられていることが好ましい。
【００１４】
このような構成によれば、手動操作部を第１および第２回転部材で構成し、同期回転方向切替操作摘みを操作することで第１および第２回転部材を一体的に回転させる方向を設定できる。このため、所定角度範囲で第２回転部材を往復回動させるだけで、第１回転部材を所定の一方向のみに回転させることができ、この第１回転部材の回転によって障子を開閉することができる。
従って、利用者は、例えば、第２回転部材において縦枠の室内側に露出した部分を掴んで第２回転部材を往復回動させるだけでよく、操作性を向上できる。
【００１５】
本発明の建具では、前記遠隔操作装置の回転伝達手段は、前記手動操作部と同軸に設けられて手動操作部と一体的に回転する歯車と、この歯車に噛合する１つ以上の歯車からなる動力伝達歯車と、この動力伝達歯車によって回転される第１プーリと、この第１プーリに対して所定距離離れて配置された第２プーリと、前記第１および第２プーリ間に巻き掛けられたベルトとを備えることが好ましい。
【００１６】
このような構成によれば、回転伝達手段において、複数の歯車を設けることができるので、手動操作部の操作方向に対する障子の開閉方向や、手動操作部の回転角度に対する障子の開閉移動量を、歯車の数や増減速比によって容易に設定できる。従って、各建具において、上部障子の開閉形式や開閉量に応じた遠隔操作装置を容易に設定できる。
また、回転伝達手段に、第１および第２プーリとベルトとを設けているので、手動操作部と、障子開閉手段とが離れて配置されていても、容易に回転力を伝達できる上、部品数を少なくでき、コストも低減できる。
【００１７】
本発明の建具では、前記遠隔操作装置の障子開閉手段は、前記上側の障子の両端に取り付けられて縦枠内を上下方向にスライド移動可能に設けられたスライダー部材と、各スライダー部材に一端が連結された一対のロープと、各ロープの他端が連結されてロープを介して前記上側の障子の荷重を支持可能なバランサー装置と、前記各ロープの途中が巻かれた一対のドラムとを備え、前記回転伝達手段は、手動操作部の操作に応じて前記一対のドラムを回転させて前記障子を上下方向にスライド移動させることが好ましい。
【００１８】
このような構成によれば、障子の荷重を支持するバランサー装置を設けたので、障子を上下動させる際にその障子の荷重の影響を無くすことができる。従って、手動操作部の操作によってドラムを回転させる場合も、容易にドラムを回転させて障子を上下動させることができる。
【発明を実施するための最良の形態】
【００１９】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００２０】
〔第１実施形態〕
図１は、本発明の第１実施形態に係る建具である上げ下げ窓１を室外側から見た正面図である。図２は、上げ下げ窓１を示す縦断面図である。図３および図４は、それぞれ上げ下げ窓１を示す横断面図であって、図３は、上部障子位置における横断面図であり、図４は、下部障子位置における横断面図である。
図１〜図４において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００２１】
上げ下げ窓１は、上枠１１、下枠１２、および左右の縦枠１３を四周枠組みした窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００２２】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００２３】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分の室外側に重なった状態となり、この上部障子２０の上方に開口が形成されて上げ下げ窓１が開かれるようになっている。このように、上部障子２０を下部障子３０の略半分の高さ寸法に設定したことで、上部障子２０を全開すれば、この上部障子２０の上下框２１，２２および下部障子３０の上框３１によって、窓枠１０の内部が上下に略三等分された略目の字形の外観（または内観）となり、バランスのよい良好な意匠性が得られる。
一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００２４】
次に、図５〜図１０も参照して上部障子２０を上下動させる遠隔操作装置６００について説明する。
遠隔操作装置６００は、手動操作部であるダイヤル６１０と、ダイヤル６１０の回転動作を伝達する回転伝達手段６２０と、回転伝達手段６２０によって伝達された回転動作によって上部障子２０を上下方向にスライド移動して開閉する障子開閉手段６５０とを備えて構成されている。
【００２５】
ダイヤル６１０は、略円盤状に形成され、上げ下げ窓１（縦枠１３）の左右見付け方向の回転軸に対して回転可能に設けられている。このダイヤル６１０の一部は、縦枠１３の室内面から室内側に突出されており、この突出部分を利用者が回すことで回転操作可能とされている。
但し、図２，４にも示すように、ダイヤル６１０の室内突出部分は、縦枠１３の室内側に設けられた額縁材５よりも室内側に突出しないように配置されている。また、ダイヤル６１０は額縁材５の開口部３側の側面に近接して配置されている。
また、図８に示すように、ダイヤル６１０の外周面には、所定間隔で凹部６１１が形成されており、この凹部６１１に指を掛けることでダイヤル６１０を容易に回転操作できるように構成されている。
【００２６】
回転伝達手段６２０は、図６にも示すように、ダイヤル６１０と同軸に設けられて一体に回転する歯車６２１と、互いに噛合する３つの歯車６２２，６２３，６２４を備えて構成されて歯車６２１の回転力を伝達する動力伝達歯車６２５と、歯車６２４と同軸に設けられて一体に回転する第１プーリ６２６と、第１プーリ６２６に対して所定間隔離れて配置された第２プーリ６２７と、各プーリ６２６，６２７間に巻き掛けられたベルト６２８と、第２プーリ６２７と同軸に設けられて一体に回転する歯車６２９とを備えて構成されている。
なお、動力伝達歯車６２５の歯車の数によって、ダイヤル６１０の操作方向に対する上部障子２０の移動方向が設定されるため、歯車の数は希望する操作方向に応じて設定すればよい。
また、動力伝達歯車６２５の増減速比によって、ダイヤル６１０の回転角度に対する上部障子２０の移動量が設定されるため、歯車の増減速比は希望する回転角度に応じた移動量によって設定すればよい。
【００２７】
ここで、ダイヤル６１０、歯車６２１〜６２４、第１プーリ６２６は、図８，９に示すように、ベースプレート６３１およびカバープレート６３２間に回転自在に軸支され、操作伝達ユニット６３０としてユニット化されている。
従って、ダイヤル６１０等を縦枠１３内に配置する場合には、予め各プレート６３１，６３２間にダイヤル６１０や歯車６２１〜６２４等を組み込んでユニット化された操作伝達ユニット６３０のベースプレート６３１を縦枠１３にビス止めすることで簡単な作業で取り付けることができる。
【００２８】
縦枠１３は、図７に示すように、アルミ押出形材製の室内部材１３１、室外部材１３２、室内レール部材１３３、および室外レール部材１３４と、室内部材１３１と室外部材１３２とを連結する樹脂製の断熱部材１３５と、室内レール部材１３３と室外レール部材１３４とを連結する樹脂製の断熱部材１３６とを備えて中空状に形成されている。そして、室外部材１３２が建物躯体４にビス止め固定され、室内レール部材１３３が室内部材１３１に、室外レール部材１３４が室外部材１３２に、それぞれビス止め固定されている。
【００２９】
従って、本実施形態では、縦枠１３の室内部材１３１に前記操作伝達ユニット６３０をビス止めした後に、各レール部材１３３，１３４を室内部材１３１、室外部材１３２にビス止めすることで、操作伝達ユニット６３０を縦枠１３内部に配置している。
なお、縦枠１３や額縁材５において、ダイヤル６１０および歯車６２１と干渉する部分は予め切り欠かれており、ダイヤル６１０や歯車６２１が縦枠１３等にぶつからないように構成されている。
【００３０】
室内レール部材１３３および室外レール部材１３４は、左右見付け方向内側（縦枠１３の内側面側）に向かって開口した断面略Ｃ字形に形成されており、それぞれ上部障子２０および下部障子３０を上下に案内可能に構成されている。
すなわち、室内レール部材１３３および室外レール部材１３４には、上下方向に連続してつまり縦枠長手方向に沿ったガイド溝がそれぞれ形成されている。
【００３１】
障子開閉手段６５０は、図５，６に示すように、上部障子２０の下端面における左右両端に取り付けられたスライダー部材であるスライドシュー２５と、各スライドシュー２５に一端がそれぞれ取り付けられたロープ６５１，６５２と、各ロープ６５１，６５２をガイドする滑車６５３と、各ロープ６５１，６５２の他端が連結されたバランサー装置６５５と、各ロープ６５１，６５２の途中が巻かれた回転ドラム６５６，６５７とを備えて構成されている。
【００３２】
スライドシュー２５は、前記室外レール部材１３４のガイド溝内に、上下方向にスライド可能に配置されている。
【００３３】
バランサー装置６５５は、図５にも示すように、上枠１１の中空部内に配置されている。バランサー装置６５５は、ロープ６５１，６５２を介して加わる上部障子２０の重量と、内部の定荷重バネのばね力とが釣り合うように設定された一般的なバランサー装置である。
なお、本実施形態では、２台のバランサー装置６５５を設け、各バランサー装置６５５に各ロープ６５１，６５２を連結しているが、２本のロープ６５１，６５２を連結支持可能な１台のバランサー装置を設けてもよい。
【００３４】
ロープ６５１，６５２は、鋼鉄線をより合わせた鋼製のワイヤーロープや、炭素繊維等の高強度繊維を編んだもの等で構成される。このロープ６５１，６５２は、縦枠１３の室外レール部材１３４内に形成されたガイド溝部分に挿通され、その一端は各スライドシュー２５に連結され、他端は縦枠１３の上端部側に設けられた滑車６５３を介して前記バランサー装置６５５の巻取リールにそれぞれ連結されている。
【００３５】
回転ドラム６５６，６５７は、それぞれ回転軸６５８，６５９を備え、各回転軸６５８，６５９はロッド棒６６０で連結されている。また、回転軸６５８には、前記回転伝達手段６２０の歯車６２９に噛合する歯車６６１が固定されている。さらに、回転ドラム６５６，６５７や各回転軸６５８，６５９、ロッド棒６６０は、窓枠１０に対して回転自在に支持されている。
このため、回転伝達手段６２０によって歯車６６１が回転されると、回転軸６５８，６５９およびロッド棒６６０を介して各回転ドラム６５６，６５７が互いに同期して回転するように構成されている。
【００３６】
ここで、図１０にも示すように、回転軸６５８，６５９には回転板６６２が固定されている。回転板６６２には３本のガイドピン６６３が突出されており、このガイドピン６６３は、前記回転ドラム６５６，６５７に形成された３本の貫通孔に挿通されている。ガイドピン６６３の端面は、回転軸６５８，６５９に取り付けられた係止板６６４に当接されている。また、回転ドラム６５６，６５７には、前記各回転軸６５８，６５９が挿通可能な貫通孔が形成されている。
このため、回転ドラム６５６，６５７は、ガイドピン６６３に沿って回転軸６５８，６５９の軸方向にスライド移動可能とされ、かつ、回転軸６５８，６５９の回転に伴い回転板６６２が回転すると、ガイドピン６６３を介して回転ドラム６５６，６５７も回転されるように構成されている。
【００３７】
回転ドラム６５６，６５７の外表面には、螺旋状の溝６６５が形成され、前記ロープ６５１，６５２は、溝６６５に沿って一巻き分のみ巻かれている。なお、このロープ６５１，６５２の巻数は、一巻きに限らず、要するに、上部障子２０がスムーズに上下動する最適な巻数に設定すればよい。
【００３８】
なお、前記ベルト６２８は、オープンベルトを使用しており、操作伝達ユニット６３０および障子開閉手段６５０を先に独立して窓枠１０に取り付けた後、直線状のベルトを各プーリ６２６，６２７間に架け渡してベルトの端部同士を連結して取り付けている。
【００３９】
次に、上部障子２０の開閉操作について説明する。
本実施形態においては、ダイヤル６１０の室内露出部分を下側に向けて回転すると、回転伝達手段６２０を介して障子開閉手段６５０の各回転ドラム６５６，６５７が回転し、ロープ６５１，６５２を巻き上げる。このため、上部障子２０は上方に移動する。
一方、ダイヤル６１０の室内露出部分を上側に向けて回転すると、回転伝達手段６２０を介して障子開閉手段６５０の各回転ドラム６５６，６５７が回転し、ロープ６５１，６５２は巻き下げられる。このため、上部障子２０は下方に移動する。
この際、上部障子２０の荷重はバランサー装置６５５で支持されているので、ダイヤル６１０の操作による回転ドラム６５６，６５７の回転には上部障子２０の荷重は影響しない。このため、小さな力でダイヤル６１０を回転させても、上部障子２０を上下動することができる。
【００４０】
なお、下部障子３０には、図７に示すように、室内レール部材１３３内をスライド移動可能なスライドシュー３６が取り付けられ、このスライドシュー３６をロープ（図示略）を介してバランサー装置（図示略）に連結することで下部障子３０の荷重をバランサー装置で支持でき、手動操作で下部障子３０を上下動する際に、比較的小さな力で操作できるように構成されている。
また、下部障子３０は、下部障子３０下端面に取り付けられたスライドシュー３６の軸芯部分を回転軸とし、上框３１側を室内側に倒すことで内倒し可能に構成されている。
【００４１】
このような本実施形態によれば、以下のような効果がある。
（１）上部障子２０を手動で開閉操作する遠隔操作装置６００が設けられているので、上部障子２０が比較的高い位置に配置されていて室内側からも手が届きにくい場合でも、ダイヤル６１０を用いて開閉操作できるので、操作性を向上させることができる。
また、遠隔操作装置６００のダイヤル６１０は、縦枠１３に配置されてその室内面に露出しているので、ダイヤル６１０の高さ位置は縦枠１３の上端から下端の範囲で自由に設定できる。このため、上部障子２０の位置に関係なく、利用者が操作しやすい高さにダイヤル６１０を設けることができ、上部障子２０の開閉操作性を向上できる。
【００４２】
（２）ダイヤル６１０は、その左右見付け幅寸法が縦枠１３の左右見付け幅寸法よりも小さくされ、かつ縦枠１３の室内面のみに露出するように縦枠１３内部に配置されているので、ダイヤル６１０が縦枠１３の内側面側つまり障子側に突出することがない。このため、下部障子３０を内倒しなどして室内側に開いた場合でも、下部障子３０がダイヤル６１０にぶつかることを防止でき、下部障子３０を十分に開くことができる。
また、ダイヤル６１０は縦枠１３の外側面側つまり建物躯体４側に突出することもないため、窓枠１０の設置時に建物躯体４側に影響を及ぼすことがなく、上げ下げ窓１を容易に施工することができる。
【００４３】
（３）ダイヤル６１０を回転操作するだけで上部障子２０を上下動させることができるので、例えば手動操作部を縦枠１３に沿って上下方向にスライド移動させて上部障子２０を開閉する場合に比べて、ダイヤル６１０を操作する手を上下に移動させなくてよいため、操作性を向上できる。
また、手動操作部としてダイヤル６１０を用いたので、容易に回転操作することができ、かつ、ダイヤル６１０は簡易な形状であるため製造コストも低減できる。
【００４４】
（４）回転伝達手段６２０として、複数の歯車６２１〜６２４を設けているので、ダイヤル６１０の操作方向に対する障子２０の開閉方向や、ダイヤル６１０の回転角度に対する障子２０の開閉移動量を、歯車の数や増減速比によって容易に設定できる。
また、回転伝達手段６２０に、第１プーリ６２６および第２プーリ６２７とベルト６２８とを設けたので、ダイヤル６１０と、障子開閉手段６５０とが離れて配置されていても、容易に回転力を伝達できる上、部品数を少なくでき、コストも低減できる。
【００４５】
（５）ダイヤル６１０や回転伝達手段６２０の歯車６２１〜６２４を操作伝達ユニット６３０としてユニット化しているので、ダイヤル６１０等を縦枠１３内部に容易に取り付けることができ、組立、施工作業性を向上できる。
【００４６】
（６）ベルト６２８としてオープンベルトを用いたので、操作伝達ユニット６３０および障子開閉手段６５０を先に独立して窓枠１０に取り付けた後にベルト６２８を各プーリ６２６，６２７間に架け渡すことができる。このため、部品の取付作業や施工作業、交換作業を容易に行うことができる。
また、上げ下げ窓１のサイズなどによって、各プーリ６２６，６２７間の間隔、つまりベルト６２８のサイズを異ならせる必要があり、予めループ状に形成されたベルトを用いる場合には、サイズの異なるベルトを用意しなければならないが、オープンベルトを用いれば、前記サイズに合わせてベルトを切断して長さを設定すればよいため、サイズ毎にベルトを用意する必要もなく、かつサイズ変更を容易に行えるため、ダイヤル６１０の位置を自由に設定できる。
【００４７】
（７）障子開閉手段６５０として、障子２０の荷重を支持するバランサー装置６５５を設けたので、障子２０を上下動させる際にその障子２０の荷重の影響を無くすことができる。従って、ダイヤル６１０を手動で操作しても容易に回転ドラム６５６，６５７を回転させて障子２０を上下動させることができ、開閉操作性をより向上できる。
【００４８】
〔第２実施形態〕
次に、本発明の第２実施形態について、図１１〜図１３に基づいて説明する。本実施形態は、手動操作部の構成のみが前記第１実施形態と異なるものである。
すなわち、本実施形態の手動操作部は、図１１〜１３に示すように、ラチェットハンドル６７０で構成されている。
ラチェットハンドル６７０は、略円盤状に形成された第１回転部材６７１と、略円盤状に形成されて第１回転部材６７１と同軸で回転可能に設けられた第２回転部材６７５とを備えて構成されている。
【００４９】
第１回転部材６７１は、前記ダイヤル６１０と同様に、ベースプレート６３１、カバープレート６３２間に配置されて縦枠１３の左右見付け方向に延びる回転軸によって回転自在に軸支されている。
また、第１回転部材６７１の第２回転部材６７５側の面には、内外２周の歯６７２，６７３が形成されている。
すなわち、第１回転部材６７１の外周側に設けられた歯６７２は、円周状に配置され、かつ、所定の第１方向（Ａ方向）に向かうにしたがって第２回転部材６７５側に近づくように傾斜された傾斜面６７２Ａと、傾斜面６７２Ａの頂点と最下点とを結ぶように第１回転部材６７１の軸方向に略平行とされた係合面６７２Ｂとを備えている。
【００５０】
一方、前記歯６７２の内周側に設けられた歯６７３は、円周状に配置され、かつ、前記第１方向と逆方向である第２方向（Ｂ方向）に向かうにしたがって第２回転部材６７５側に近づくように傾斜された傾斜面６７３Ａと、傾斜面６７３Ａの頂点と最下点とを結ぶように第１回転部材６７１の軸方向に略平行とされた係合面６７３Ｂとを備えている。
この第１回転部材６７１は、いわゆるラチェット装置における爪車（ラチェット）として機能するように構成されている。
【００５１】
第２回転部材６７５は、前記歯６７２に係合可能な第１爪部６７６と、前記歯６７３に係合可能な第２爪部６７７と、一方の爪部６７６，６７７のみを歯６７２，６７３に係合可能にするラチェット操作摘み６７８と、第２回転部材６７５の外周から突出するように設けられたハンドル操作用摘み６７９とを備えて構成されている。
なお、ラチェットハンドル６７０も、その左右見付け幅寸法は縦枠１３の左右見付け幅寸法よりも小さくされ、かつ、ハンドル操作用摘み６７９は額縁材５の室内側端縁から突出しない寸法に抑えられている。
【００５２】
このような本実施形態においては、各爪部６７６，６７７は、図示しないバネ等によって各歯６７２，６７３に係合可能とされているが、ラチェット操作摘み６７８を切替操作することで、常に一方の爪部６７６，６７７は、第１回転部材６７１から離れる方向に引きこまれ、各歯６７２，６７３に係合しない状態に維持される。
【００５３】
ここで、第１爪部６７６が歯６７２に係合可能な状態とされ、かつ、第２爪部６７７が歯６７３に係合しない状態にある場合には、第２回転部材６７５をＡ方向に移動すると、第１爪部６７６は傾斜面６７２Ａに案内されて回転軸方向に変位するため、第１回転部材６７１は回転せず、第２回転部材６７５のみが回転する。
一方、第２回転部材６７５をＢ方向に移動すると、第１爪部６７６は係合面６７２Ｂに係合するため、第１回転部材６７１は第２回転部材６７５と一体に回転する。
従って、第２回転部材６７５を所定角度範囲でＡ方向およびＢ方向に交互に回動させると、第１回転部材６７１は間欠的にＢ方向のみに回転することになる。
【００５４】
また、第２爪部６７７が歯６７３に係合可能な状態とされ、かつ、第１爪部６７６が歯６７２に係合しない状態にある場合には、第２回転部材６７５をＢ方向に移動すると、第２爪部６７７は傾斜面６７３Ａに案内されて回転軸方向に変位するため、第１回転部材６７１は回転せず、第２回転部材６７５のみが回転する。
一方、第２回転部材６７５をＡ方向に移動すると、第２爪部６７７は係合面６７３Ｂに係合するため、第１回転部材６７１は第２回転部材６７５と一体に回転する。
従って、第２回転部材６７５を所定角度範囲でＡ方向およびＢ方向に交互に回動させると、第１回転部材６７１は間欠的にＡ方向のみに回転することになる。
【００５５】
本実施形態では、ラチェットハンドル６７０に設けられたハンドル操作用摘み６７９が第２回転部材６７５の外周から突出しているので、ハンドル操作用摘み６７９が縦枠１３の室内面に露出する角度範囲でしか第２回転部材６７５を回動できないが、ラチェット操作摘み６７８で一方の爪部６７６，６７７のみを歯６７２，６７３に係合可能にすることで、第２回転部材６７５を所定角度範囲で往復させれば第１回転部材６７１つまりは歯車６２１を所定方向に間欠的に回転させることができる。従って、ラチェット操作摘み６７８によって同期回転方向切替操作摘みが構成され、ハンドル操作用摘み６７９によって回転操作用摘みが構成されている。
【００５６】
このような本実施形態によれば、前述の(１)〜(７)の効果に加えて以下のような効果がある。
（８）ハンドル操作用摘み６７９を設けたので、利用者はこのハンドル操作用摘み６７９を掴んでラチェットハンドル６７０を回転させることができる。このため、第１実施形態のダイヤル６１０を回転させる場合に比べても、より確実にラチェットハンドル６７０を回転させることができ、上部障子２０の開閉操作性を向上できる。
【００５７】
（９）ハンドル操作用摘み６７９を設けたために、第２回転部材６７５は一定角度範囲でしか回動できないが、歯６７２，６７３および爪部６７６，６７７を備えたいわゆるラチェット機構を設けたので、第１回転部材６７１を所定方向に回転させることができる。
その上、第１回転部材６７１の回転方向つまり上部障子２０のスライド移動方向は、ラチェット操作摘み６７８を切り替えるだけで設定できるので、簡単な操作で上部障子２０を上下動することができる。
【００５８】
なお、本発明は、前記各実施形態に限定されるものではなく、本発明の目的を達成できる他の構成等を含み、以下に示すような変形等も本発明に含まれる。
例えば、手動操作部としては、前記各実施形態の構成に限らない。例えば、手動操作部として用いられるダイヤルとしては、図１４に示すダイヤル６１０Ａのように、指を確実に掛けられる大きな凹部６１１が形成されたものを用いてもよい。
また、手動操作部としては、歯車６２１を両方向に回転可能なバータイプや、オペレータハンドルタイプなどでもよい。さらに、前記ベルト６２８を上下方向に移動させるようなスライドレバータイプの手動操作部を用いてもよい。
要するに、手動操作部は、上部障子２０を上下動可能であり、かつ、その左右見付け幅寸法が縦枠の左右見付け幅寸法よりも小さくされており、下部障子３０を内倒しなどで室内側に移動した際に下部障子３０が手動操作部に干渉しないように構成されていればよい。
【００５９】
また、障子開閉手段６５０の構成は前記第１実施形態のものに限らない。例えば、前記実施形態では、ロープ６５１，６５２を掛け回した回転ドラム６５６，６５７を設け、この回転ドラム６５６，６５７を回転させることで上部障子２０を上下動させていたが、回転ドラム６５６，６５７を設けずに、手動操作部の回転力をバランサー装置６５５に伝達し、バランサー装置６５５でロープ６５１，６５２を巻き上げたり、繰り出すことで上部障子２０を上下動させてもよい。
要するに、障子開閉手段６５０としては、手動操作部の操作によって上部障子２０を上下動できる構成であればよい。
【００６０】
また、前記各実施形態では、上部障子２０および下部障子３０がそれぞれ上下にスライド開閉可能に構成されていたが、これに限らず、上部障子が突出し形式や内倒し形式、開き形式、辷出し形式等で開閉されるものでもよく、また下部障子３０が開閉不能な固定障子であってもよい。
従って、障子開閉手段６５０としては、上部障子２０を上下動させるものに限らない。例えば、上部障子２０を突き出し窓として構成している場合には、上框２１部分を回転軸とし、下框２２側を室外側に突き出すように上部障子２０を開閉する機構を採用すればよい。要するに、障子開閉手段６５０は、上部障子２０の開閉形式に応じて設定すればよい。
【００６１】
回転伝達手段６２０としては、前記実施形態の構成に限らない。例えば、ベルト６２８およびプーリ６２６，６２７の代わりにチェーンおよびスプロケットを設けてもよい。さらに、ベルトやチェーンを設ける代わりに、歯車を組み合わせて回転力を伝達してもよい。
さらに、歯車６２１〜６２４を設けずに、ダイヤル６１０等の手動操作部に直接プーリ６２６を取り付けてもよい。
【００６２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６３】
【図１】本発明の第１実施形態に係る建具を室外側から見た正面図である。
【図２】前記建具を示す縦断面図である。
【図３】前記建具を示す横断面図であり、上部障子位置での横断面図である。
【図４】前記建具を示す横断面図であり、下部障子位置での横断面図である。
【図５】前記建具における遠隔操作装置の構成を示す概略斜視図である。
【図６】前記建具における遠隔操作装置の構成を示す概略斜視図である。
【図７】前記建具における縦枠を拡大して示す横断面図である。
【図８】前記遠隔操作装置における操作伝達ユニットを示す図である。
【図９】前記遠隔操作装置における操作伝達ユニットを示す側面図である。
【図１０】前記遠隔操作装置における回転ドラムを示す図である。
【図１１】本発明の第２実施形態に係る手動操作部を示す斜視図である。
【図１２】前記手動操作部の分解斜視図である。
【図１３】前記手動操作部を有する操作伝達ユニットを示す図である。
【図１４】本発明の変形例に係る手動操作部を示す斜視図である。
【符号の説明】
【００６４】
１…上げ下げ窓、１０…窓枠、１３…縦枠、２０…上部障子、３０…下部障子、２５…スライダー部材であるスライドシュー、６００…遠隔操作装置、６１０，６１０Ａ…手動操作部であるダイヤル、６２０…回転伝達手段、６２１〜６２４…歯車、６２６…第1プーリ、６２７…第２プーリ、６２８…ベルト、６３０…操作伝達ユニット、６５０…障子開閉手段、６５１，６５２…ロープ、６５５…バランサー装置、６５６，６５７…回転ドラム、６７０…手動操作部であるラチェットハンドル、６７１…第１回転部材、６７５…第２回転部材、６７８…ラチェット操作摘み、６７９…ハンドル操作用摘み。
【図１】
2006241673.tif 000003
【図２】
2006241673.tif 000004
【図３】
2006241673.tif 000005
【図４】
2006241673.tif 000006
【図５】
2006241673.tif 000007
【図６】
2006241673.tif 000008
【図７】
2006241673.tif 000009
【図８】
2006241673.tif 000010
【図９】
2006241673.tif 000011
【図１０】
2006241673.tif 000012
【図１１】
2006241673.tif 000013
【図１２】
2006241673.tif 000014
【図１３】
2006241673.tif 000015
【図１４】
2006241673.tif 000016